(57)【特許請求の範囲】
【請求項１】
少なくとも上面に薄い化粧板（３２）を固着してなる板材（３０）を設け、該板材（３０）を回転鋸（２０）により切断するに際し、回転鋸（２０）の半径を前記板材（３０）の厚さよりも大きくし、該回転鋸（２０）を化粧板（３２）の厚さよりも若干深くなる切り込み量に配置し、該回転鋸（２０）を前記板材（３０）の上面部の一端側から下向き削り方向に回転させながら他端側に相対的に移動させて前記板材（３０）の上面部に化粧板（３２）の厚さよりも若干深い切り溝を形成し、次いで前記回転鋸（２０）を前記板材（３０）の下面から下方に突出する位置まで相対的に送り込み、該回転鋸（２０）を前記と同方向に回転させながら前記板材（３０）の他端側から一端側に相対的に移動させて前記板材（３０）を切断することを特徴とする化粧板を有する板材の切断方法。
【発明の詳細な説明】
【０００１】
【発明の属する技術分野】
本発明は、切断面にバリを発生させないで板材を切断する板材の切断方法に関するものである。
【０００２】
【従来の技術】
従来の技術として、図３、図４に示すものがあった。図３、図４において、１は木工用切断機の本体に取付けられて左右方向に移動されるヘッドであり、このヘッド１は、前部側に小径の溝切り（罫引）丸鋸２を、後部側に大径の切断丸鋸３を有する。上記溝切り丸鋸２と切断丸鋸３とは互いに逆回転、即ち、図３において、溝切り丸鋸２は矢印Ａ方向に回転（左回転）され、切断丸鋸３は矢印Ｂ方向に回転（右回転）される。
【０００３】
また、溝切り丸鋸２は切断丸鋸３に対して軸方向（正背面方向）に移動調節可能に取り付けられ、これを軸方向に移動調節することにより、溝切り丸鋸２のチップ２ａの一方の側面切刃２ａ−１（又は２ａ−２）を、切断丸鋸３のチップ３ａの一方の側面切刃３ａ−１（又は３ａ−２）と同一鉛直面上に一致させる。例えば、図４において、切断機のテーブル４にセットした板材５の背面（上部）側を製品とする場合には、上記溝切り丸鋸２を軸方向背面側に移動させ、該溝切り丸鋸２のチップ２ａの上部（背面）側の側面切刃２ａ−１を、切断丸鋸３のチップ３ａの上部（背面）側の側面切刃３ａ−１と同一鉛直面上に一致させる。
【０００４】
そして、上記溝切り丸鋸２を図３において矢印Ａ方向に、また切断丸鋸３を図３において矢印Ｂ方向に回転させ、この状態でヘッド１を図３において左方、つまり矢印（ア）方向に移動させ、溝切り丸鋸２により板材５の上面を下向き削り（ダウンカット）で切削し、該上面部に所定深さの切り溝５ａを形成し、次いで切断丸鋸３により残余の肉部５ｂを板材５の下面側から下向き削りで切削して該板材５を切断する。
【０００５】
【発明が解決しようとする課題】
上記従来のものは、二枚の丸鋸、即ち溝切り丸鋸２及び切断丸鋸３を使用するため、製作誤差及び研磨誤差等により、両者のチップ２ａ，３ａの幅Ｔ１，Ｔ２を共に等幅にして同一鉛直面状に位置させることは困難となる。このため、一方の丸鋸、例えば、溝切り丸鋸２を軸方向に移動調節して、両者のチップ２ａ，３ａの一方の側面切刃２ａ−１、３ａ−１（又は２ａ−２、３ａ−２）を同一鉛直面上に一致させて板材５を切断する必要があ。これは、切断した板材５の一方の切断端面は平滑面になるも、他方の切断端面は段部Ｓが発生することになり、切断した板材５の双方を製品とすることができず、従って長い板材を所定ピッチで切断するものには不適となり、端材の発生が許容されるものの切断に限られ、用途が限定される。さらに、二枚の丸鋸２、丸鋸３を使用するため、構造が複雑になるとともに、段取りに多大の手数を要する等の欠点があった。本発明は、一枚の回転鋸（丸鋸）により、切断面にバリを発生させないで、しかも切断端面の両面を平滑に切断することにより、上記欠点を解消した新規な板材の切断方法を得ることを目的とする。
【０００６】
【課題を解決するための手段】
本発明は上記目的を達成するために、以下の如く構成したものである。即ち、少なくとも上面に薄い化粧板を固着してなる板材を設け、該板材を回転鋸により切断するに際し、回転鋸の半径を前記板材の厚さよりも大きくし、該回転鋸を化粧板の厚さよりも若干深くなる切り込み量に配置し、該回転鋸を前記板材の上面部の一端側から下向き削り方向に回転させながら他端側に相対的に移動させて前記板材の上面部に化粧板の厚さよりも若干深い切り溝を形成し、次いで前記回転鋸を前記板材の下面から下方に突出する位置まで相対的に送り込み、該回転鋸を前記と同方向に回転させながら前記板材の他端側から一端側に相対的に移動させて前記板材を切断する構成にしたものである。
【０００７】
【発明の実施の形態】
以下本発明の実施の形態を図面に基いて説明する。図面において、図１は本発明に適用される木工用切断機の概略正面図、図２は板材の切断方法を示す説明図である。図１において、１０は本発明による木工用切断機のフレームであり、このフレーム１０の上部正面側に左右方向に延びるＹ軸レール１１を介して可動ベース１２を左右移動可能に係止する。この可動ベース１２は、フレーム１０に左右方向に延長させて取り付けたＹ軸ねじ１３に螺合させ、このＹ軸ねじ１３をＹ軸モーター１４で正逆回転させることにより、上記可動ベース１２を左右方向に移動させる。
【０００８】
上記可動ベース１２の正面側に上下方向に延びるＸ軸レール１５を介してヘッド１７を上下動可能に取付け、該ヘッド１７を可動ベース１２の上部に取付けたＸ軸モーター１６によって上下方向に移動させる。上記ヘッド１６の下部は左方に突出形成され、この突出部に主軸１８を正背面方向に向けて取付け、該主軸１８の正面側に円板状の回転鋸（丸鋸）２０を取付ける。上記主軸１８はヘッド１７に取付けた主軸モーター１９によって所定速度で回転される。
【０００９】
上記フレーム１０の、回転鋸２０が左右方向に移動される部位にクランプ装置２２を設け、該クランプ装置２２により切断機に供給される板材３０を上下方向から挾持する。このクランプ装置２２は、フレーム１０の下部側に下クランプ板２３を左右方向に延長させて左右一対の下部ガイドロッド２４で上下動可能に支持し、この下クランプ板２３を下シリンダー２５によって上下動させ、また、フレーム１０の上部側に上クランプ板２６を左右方向に延長させて上部ガイドロッド２７で上下動可能に支持し、この上クランプ板２７を上シリンダー（図示省略）によって上下動させ、これら下クランプ板２３と上クランプ板２７とにより、上記供給される板材３０を上下方向から挾持する。この板材３０は、家具のテーブルあるいは棚等をなすもので、図２に示すように、木製の主体３１の上面及び側面にプラスチック製の化粧板３２を一体的に固着してなる。
【００１０】
前述したＹ軸モーター１４及びＸ軸モーター１６は、上記クランプ装置２２によって板材３０が挾持された後、制御盤に内装した制御装置（図示省略）によってＮＣ制御され、主軸１８、つまり回転鋸２０を図２の如く移動させて上記板材３０を切断する。即ち、回転鋸２０を図２において矢印Ｃ方向に回転（左回転）させ、この状態でまず、回転鋸２０を点Ｐ１から点Ｐ２に移動させ、該回転鋸２０の切刃の移動軌跡線Ｍ１によって板材３０の右端側下部の隅部３０ａの主体３１及び化粧板３２を下向き削り（ダウンカット）で切削し、該隅部３０ａに右上がりに傾斜する切り溝（符号省略）を形成する。この場合、上記点Ｐ２は、回転鋸２０の切刃が上記板材３０の隅部３０ａから離脱するとともに、該板材３０の右端３０ｂよりも所定量左部の位置で対面する位置とする。なお、回転鋸２０のスタートを上記点Ｐ１から点Ｐ２に向けて移動させると、回転鋸２０の上向き削り（アップカット）部が外観を損ねない板材３０の縁部下面（化粧板３２の下部内方位置）となり、この部に微視的なバリが発生することになるが、これは実害のないものとなる。
【００１１】
次いで、上記回転鋸２０を点Ｐ２から点Ｐ３に向けて上方に移動させ、該回転鋸２０の切刃の上下方向の移動軌跡線Ｍ２によって板材３０の右端３０ｂ部の主体３１及び化粧板３２を下向き削りで切削し、該右端３０ｂ部に所定深さの縦方向の切り溝を形成する。この場合、上記点Ｐ３は、回転鋸２０の切刃が上記板材３０の右端上部の隅部３０ｃから離脱するとともに、該板材３０の上端３０ｄよりも所定量下部の位置で対面する位置とする。
【００１２】
次いで、上記回転鋸２０を点Ｐ３から点Ｐ４に向けて左方に移動させ、該回転鋸２０の切刃の水平方向の移動軌跡線Ｍ３によって板材３０の上面３０ｄ部の主体３１及び化粧板３２を下向き削りで切削し、該上面３０ｄ部に所定深さの水平方向の切り溝を形成する。この場合、上記点Ｐ４は、回転鋸２０の切刃が上記板材３０の左端上部の隅部３０ｅから離脱するとともに、該板材３０の左端３０ｆよりも所定量右部の位置で対面する位置とする。
【００１３】
次いで、上記回転鋸２０を点Ｐ４から点Ｐ５に向けて下方に移動させ、該回転鋸２０の切刃の上下方向の移動軌跡線Ｍ４によって板材３０の左端３０ｆ部の主体３１及び化粧板３２を下向き削りで切削し、該左端３０ｆ部に所定深さの縦方向の切り溝を形成する。この場合、上記点Ｐ５は、回転鋸２０の下端の切刃が板材３０の下面から下方に突出する位置とする。次いで上記回転鋸２０を点Ｐ５から点Ｐ６に向けて水平下方に移動させ、該回転鋸２０の切刃の水平方向の移動軌跡線Ｍ５によって板材３０の残余の肉部３０ｇをその下面側から下向き削りで切削し、該板材３０を切断する。
【００１４】
ここで、前述したように、板材３０の右端側下部の隅部３０ａ、右端３０ｂ部、及び上面３０ｄ部を切削する都度、回転鋸２０を板材３０の隅部３０ａ，３０ｃ，３０ｅから離脱させるようにすれば、回転鋸２０が方向転換する際に上記各隅部で空転しなくなってこの部が焼損しなくなり、好ましい。なお、本実施例では、板材３０に対して回転鋸２０を移動させるようにしたが、これは、回転鋸２０に対して板材３０を移動させるようにしても同様の効果を奏する。
【００１５】
【発明の効果】
以上の説明から明らかな如く、請求項１による発明は、一枚の回転鋸により、切断面にバリを発生させないで切断することができるので、構造が簡素になるとともに段取りが容易かつ迅速にできる。しかも切断端面の両面が平滑になるので、切断した板材の双方を製品とすることができる。また、請求項２による発明は、化粧板が主体の上面、側面及び縁部の下面に存在している板材を切断面にバリを発生させないで、しかも切断端面の両面を平滑に切断することができる。等の効果を奏する。
【図面の簡単な説明】
【図１】本発明に適用される木工用切断機の概略正面図である。
【図２】板材の切断方法を示す説明図である。
【図３】従来例による板材の切断方法を示す説明図である。
【図４】図３の要部拡大平面図である。
【符号の説明】
１０    フレーム
１１    Ｙ軸レール
１２    可動ベース
１３    Ｙ軸ねじ
１４    Ｙ軸モーター
１５    Ｘ軸レール
１６    Ｘ軸モーター
１７    ヘッド
１８    主軸
１９    主軸モーター
２０    回転鋸
２２    クランプ装置
２３    下クランプ板
２４    下部ガイドロッド
２５    下シリンダー
２６    上クランプ板
２７    上部ガイドロッド
３０    板材
３１    主体
３２    化粧板
【図１】
0003676066.tif 000002
【図２】
0003676066.tif 000003
【図３】
0003676066.tif 000004
【図４】
0003676066.tif 000005